(57)【特許請求の範囲】
【請求項１】
ミラーと、
前記ミラーを保持し、撮影光路内に位置する第１の位置と撮影光路外に退避する第２の位置との間で回動するミラー保持部材と、
前記ミラー保持部材を前記第１の位置に向けて付勢する第１の付勢部材と、
前記ミラー保持部材が前記第１の位置に位置するとき、前記ミラー保持部材が当接する第１の当接部が形成され、撮像装置本体に軸支され、前記ミラー保持部材の回動中心と略一致する軸を中心に回動させることで前記ミラー保持部材と前記第１の当接部との当接位置を調整する調整部材と、
前記第１の付勢部材の付勢力によって前記ミラー保持部材が前記第１の当接部に当接してバウンドしたとき、前記ミラー保持部材が当接する第２の当接部が形成され、前記調整部材に軸支されるバウンド抑制部材と、を有し、
前記調整部材を回動させても、前記第１の当接部および前記第２の当接部が前記ミラー保持部材の回動中心を中心として同一の角度だけ回動し、前記ミラー保持部材と前記第２の当接部との隙間が変化しないことを特徴とする撮像装置。
【請求項２】
前記ミラー保持部材には、フック形状部が形成され、
前記ミラー保持部材が前記第１の当接部に当接するとき、前記バウンド抑制部材の前記第２の当接部が前記フック形状部内に挿入されることを特徴とする請求項１に記載の撮像装置。
【請求項３】
前記バウンド抑制部材を付勢する第２の付勢部材をさらに有し、
前記ミラー保持部材が前記第２の当接部に当接する際に、前記バウンド抑制部材が前記第２の付勢部材の付勢力に抗して回動し、前記バウンド抑制部材の前記第２の当接部が前記フック形状部内に挿入されることを特徴とする請求項２に記載の撮像装置。
【発明の詳細な説明】
【技術分野】
【０００１】
本発明は、一眼レフカメラ等の撮像装置に関し、特に回動可能なミラーのバウンドを抑制する機構を備えた撮像装置に関する。
【背景技術】
【０００２】
一眼レフカメラに搭載されたクイックリターンミラー機構では、主ミラー及びサブミラーを撮像光学系からの光路（撮像光路）の内外に高速で回動させる。撮像光路内では、各ミラーはミラーボックスに設けられたストッパに当接することで特定の停止位置に位置決めされ、ファインダ光学系や焦点検出ユニットに光を導く。
【０００３】
このようなクイックリターンミラー機構においては、ミラーを撮像光路外から撮像光路内に高速回動させたとき（以下、復帰時という）に上記ストッパに対する衝突により生じるミラーのバウンド現象を抑制する必要がある。バウンドを抑えることで、早期に焦点検出動作を開始することができるからである。
【０００４】
例えば、特許文献１には、ミラーを保持してミラーとともに回動するミラー保持部材にＵ字形状の溝部を設け、ミラーの復帰時において該溝部にミラーボックスに設けたピンが嵌り込むことでミラーのバウンドを抑制するカメラが開示されている。また、特許文献２には、光路内の停止位置に復帰したミラーに対してそのバウンドを抑える方向にばねによる負荷を印加することで、バウンドを抑制するカメラが開示されている。
【０００５】
一方、ストッパによって決定されるミラーの撮像光路内での停止位置は、カメラごとに製造誤差があるためにこれを調整する必要がある。このため、カメラには、ストッパの位置調整、つまりはミラーの角度調整を可能とする調整機構が設けられる。特許文献３には、ミラーの角度調整を行ってもバウンド防止効果を確保できるカメラが開示されている。
【特許文献１】特開平９−２７４２５０号公報
【特許文献２】特開平１１−３８５０１号公報
【特許文献３】特開２００５−３４５６１１号公報
【発明の開示】
【発明が解決しようとする課題】
【０００６】
しかしながら、特許文献１にて開示されたカメラでは、ミラーの角度調整を行うと、ピンとミラー保持部材に設けられたＵ字形状溝部の移動軌跡との間に位置差が生じる。このため、ミラーの角度調整によってバウンド抑制時間にばらつきが生じる。また、特許文献２や特許文献３にて開示されたカメラでも、ミラーの角度調整によるバウンド抑制時間のばらつきを低減することまでは考慮されていない。
【０００７】
本発明は、ミラーの角度調整によるバウンド抑制時間のばらつきが少なく、高いバウンド抑制効果が得られるようにした撮像装置を提供する。
【課題を解決するための手段】
【０００８】
本発明の一側面としての撮像装置は、ミラーと、前記ミラーを保持し、撮影光路内に位置する第１の位置と撮影光路外に退避する第２の位置との間で回動するミラー保持部材と、前記ミラー保持部材を前記第１の位置に向けて付勢する第１の付勢部材と、前記ミラー保持部材が前記第１の位置に位置するとき、前記ミラー保持部材が当接する第１の当接部が形成され、撮像装置本体に軸支され、前記ミラー保持部材の回動中心と略一致する軸を中心に回動させることで前記ミラー保持部材と前記第１の当接部との当接位置を調整する調整部材と、前記第１の付勢部材の付勢力によって前記ミラー保持部材が前記第１の当接部に当接してバウンドしたとき、前記ミラー保持部材が当接する第２の当接部が形成され、前記調整部材に軸支されるバウンド抑制部材と、を有し、前記調整部材を回動させても、前記第１の当接部および前記第２の当接部が前記ミラー保持部材の回動中心を中心として同一の角度だけ回動し、前記ミラー保持部材と前記第２の当接部との隙間が変化しないことを特徴とする。
【発明の効果】
【０００９】
本発明によれば、調整機構によって位置決め部材による保持部材の停止位置、つまりは第１のミラーの角度を調整すると、第１のバウンド抑制部材が位置決め部材とともに、保持部材の回動中心軸回りで同一の角度回動する。このため、ミラーの角度調整によるバウンド抑制時間のばらつきを少なくすることができ、かつ高いバウンド抑制効果を得ることができる。
【発明を実施するための最良の形態】
【００１０】
以下、本発明の好ましい実施例について図面を参照しながら説明する。
【００１１】
図１及び図１０には、本発明の実施例である一眼レフデジタルカメラ（撮像装置）の概略構成を示している。また、図２には、本実施例におけるクイックリターンミラーユニットとミラーバウンド抑制機構を分解して示している。また、図３〜図７には、上記クイックリターンミラーユニットとミラーバウンド抑制機構を構成する要素の関係を示している。
【００１２】
これらの図において、１は本実施例のカメラ、２は撮像光学系を内蔵した撮像レンズ（交換レンズ）である。
【００１３】
カメラ１内において、３はクイックリターンミラーユニット、４は被写体像を観察するためのファインダ光学系である。５はＣＭＯＳセンサやＣＣＤセンサ等の撮像素子や各種光学フィルタを含む撮像素子ユニットである。６はＴＴＬ位相差検出方式で撮像光学系のデフォーカス量を検出する、すなわち焦点検出を行う焦点検出ユニットである。１０はミラーバウンド抑制機構である。
【００１４】
１１はハーフミラーにより構成された主ミラー（第２のミラー）である。１２は主ミラー保持部材であり、主ミラー１１を保持する。主ミラー保持部材１２に設けられた軸部１２ａは、ミラーボックス４０に回動可能に保持されている。ミラーボックス４０は、その内部に主ミラー１１及び後述するサブミラー等を収容し、前端部には、撮像レンズ２を装着するためのマウント３０が固定されている。
【００１５】
主ミラー保持部材１２は、主ミラー１１が撮像光学系から撮像素子ユニット５に向かう光路（撮像光路）の内側の第１の位置と撮像光路の外側の第２の位置との間で移動するように、軸部１２ａ回りで回動する。
【００１６】
上記第１の位置では、主ミラー１１は、撮像光学系からの光の一部を反射してファインダ光学系４に導き、残りの光を透過させる。これにより、撮影者は、ファインダ光学系４を通して被写体観察を行える。また、上記第２の位置では、撮像光学系により形成された被写体像の撮像素子ユニット５による光電変換、すなわち撮像を許容するよう撮像光路外に退避する。
【００１７】
ミラーボックス４０内には、主ミラーストッパ２２が形成されている。第２の位置から第１の位置に反時計回り方向に回動した主ミラー保持部材１２が該主ミラーストッパ２２に当接することで、主ミラー１１が第１の位置に位置決めされる。
【００１８】
１３はサブミラー（第１のミラー）であり、１４は該サブミラー１３を保持するサブミラー保持部材である。サブミラー保持部材１４は、主ミラー保持部材１２に形成された軸部１２ｂに回動可能に取り付けられている。なお、図２には、サブミラー１３用のミラーバウンド抑制機構（これについては後述する）が配置される側とは反対側（図の手前側）の軸部１２ａのみが示されているが、ミラーバウンド抑制機構が配置される側にも設けられている。
【００１９】
サブミラー保持部材１４は、主ミラー保持部材１２（主ミラー１１）が第１の位置に位置しているときにサブミラー１３が撮像光路内における主ミラー１１の後方に位置するように位置決めされる。この位置決めによる停止位置を、本実施例では、サブミラー１３及びサブミラー保持部材１４の第１の位置と称する。
【００２０】
この第１の位置で、サブミラー１３は、主ミラー１１を透過してきた光を反射して焦点検出ユニット６に導く。
【００２１】
また、サブミラー保持部材１４は、主ミラー保持部材１２が第２の位置に位置しているときにサブミラー１３が撮像光路外に配置されるように主ミラー保持部材１２に対して折り畳まれる。この位置を、サブミラー１３及びサブミラー保持部材１４の第２の位置（光路外位置）と称する。
【００２２】
１５はサブミラー開きばねであり、軸部１２ｂ回りで主ミラー保持部材１２に対してサブミラー保持部材１４を反時計回り方向（第１の位置の方向）に付勢する。
【００２３】
なお、主ミラー１１、主ミラー保持部材１２、サブミラー１３、サブミラー保持部材１４及びサブミラー開きばね１５によりクイックリターンミラーユニットが構成される。
【００２４】
１６は位置決め部材としてのサブミラーストッパとしても機能する角度調整ピンであり、調整部材としての角度調整プレート１７に固定されている。図３に示すように、角度調整ピン１６は、第１の位置に回動したサブミラー保持部材１４に形成された突起部１４ａに当接する。これにより、軸部１２ｂ回りでのサブミラー保持部材１４の反時計回り方向の回動が制限され、サブミラー保持部材１４が第１の位置に位置決めされる。
【００２５】
サブミラー保持部材１４には、二股形状部としてのフック形状部１４ｂが形成されている。
【００２６】
１８は第１のバウンド抑制部材としてのフックピンであり、フックプレート１９に固定されている。
【００２７】
フックプレート１９は、角度調整プレート１７に形成された穴１７ａ回りで回動可能に角度調整プレート１７に取り付けられている。また、フックプレート１９は、図７に示すように、フックプレート１９に形成された第１の曲げ部１９ａと角度調整プレート１７に形成された曲げ部１７ｂとの間に掛けられた引張コイルばね２０によって、穴１７ａ回りにおいて反時計回り方向に付勢されている。フックプレート１９は、該フックプレート１９に形成された第２の曲げ部１９ｂが角度調整プレート１７に当接することによって、穴１７ａ回りにおける反時計回り方向の回動が制限される。
【００２８】
角度調整プレート１７は、穴１７ｃを有し、該穴１７ｃにカメラ本体に設けられた不図示の軸部が挿入されることで、該軸部回りで回動可能に保持される。穴１７ｃの中心軸、つまりはここに挿入される軸部の中心軸は、サブミラー保持部材１４の回動中心軸である軸部１２ｂの中心軸に一致するように設定されている。このため、角度調整プレート１７は、軸部１２ｂの中心軸回りで回動するということができる。言い換えれば、角度調整プレート１７は、サブミラー保持部材１４と同軸上で回動する。
【００２９】
したがって、角度調整プレート１７に設けられた角度調整ピン１６と角度調整プレート１７上に備えられたフックプレート１９に設けられたフックピン１８は、角度調整プレート１７の回動に伴ってサブミラー保持部材１４の回動中心軸回りで回動する。また、角度調整ピン１６とフックプレート１９は、上記回動中心軸回りで互いに同一の角度回動する。
【００３０】
なお、実際には、軸部１２ｂの中心と穴１７ｃの中心軸とが製造許容誤差の範囲でずれる場合もあるが、このような場合も軸部１２ｂの中心軸と穴１７ｃの中心軸とが一致するとみなす。つまり、角度調整ピン１６とフックピン１８がサブミラー保持部材１４の回動中心軸回りで回動するとみなす。
【００３１】
また、「同一の角度」についても、同様に、完全に同一である場合だけでなく、許容範囲で差があるに過ぎずに同一とみなせる場合も含む。
【００３２】
角度調整プレート１７及び角度調整ピン１６を主たる構成要素として調整機構が構成される。また、該調整機構とフックプレート１９及びフックピン１８とを主たる構成要素としてミラーバウンド抑制機構１０が構成される。
【００３３】
２１はサブミラー反転ピンであり、ミラーボックス４０に固定されている。
【００３４】
次に、上記構成を有するクイックリターンミラーユニットとミラーバウンド抑制機構の動作について、図３〜図６を用いて説明する。
【００３５】
図３には、被写体観察位置である第１の位置でのクイックリターンミラーユニットとミラーバウンド抑制機構の状態を示す。
【００３６】
この状態でカメラ１に設けられた不図示のレリーズスイッチが第１ストローク操作（半押し操作）されると、焦点検出ユニット６による焦点検出や不図示の測光ユニットによる測光が行われる。そして、レリーズスイッチが第２ストローク操作（全押し操作）されると、以下の動作が行われる。
【００３７】
まず、主ミラー保持部材１２は、軸部１２ａ回りで時計回り方向に光路外退避位置である第２の位置まで回動する。その過程で、サブミラー保持部材１４に形成されたカム部１４ｃがサブミラー反転ピン２１に当接することによって、サブミラー保持部材１４は、サブミラー開きばね１５をチャージしながら軸部１２ｂ回りで時計回り方向に第２の位置まで回動する。図４には、第２の位置でのクイックリターンミラーユニットとミラーバウンド抑制機構の状態を示す。
【００３８】
撮像素子ユニット５の露光が完了すると、主ミラー保持部材１２は、軸部１２ａ回りで反時計回り方向に回動し、第２の位置から第１の位置に復帰する。これにより、サブミラー保持部材１４もサブミラー開きばね１５の付勢力によって軸部１２ｂ回りで反時計回り方向に回動し、第２の位置から第１の位置に復帰する。
【００３９】
この復帰の過程において、サブミラー保持部材１４のフック形状部１４ｂはフックピン１８に当接してこれを押し下げる（図５参照）。これにより、フックピン１８が固定されたフックプレート１９が角度調整プレート１７の穴１７ａ回りで時計回り方向に回動するので、フックピン１８はサブミラー保持部材１４の復帰時の回動範囲の外側に移動する（図６参照）。
【００４０】
その後、サブミラー保持部材１４は、突起部１４ａが角度調整ピン１６に当接することで回動を停止する。また、フックピン１８は、引張コイルばね２０の付勢力によってフックプレート１９が穴１７ａ回りで反時計回り方向に回動することで、サブミラー保持部材１４のフック形状部１４ｂ内に挿入される。
【００４１】
突起部１４ａで角度調整ピン１６に当接したサブミラー保持部材１４は、バウンドしてフック形状部１４ｂでフックピン１８に当接する。また、フック形状部１４ｂでフックピン１８に当接したサブミラー保持部材１４は、再度バウンドして突起部１４ａで角度調整ピン１６に当接する。こうして角度調整ピン１６とフックピン１８との間でバウンドを繰り返した後、サブミラー保持部材１４は、角度調整ピン１６に当接した状態で停止する。
【００４２】
このように、フック形状部１４ｂと当接するフックピン１８と、突起部１４ａに当接する角度調整ピン１６とで、サブミラー復帰時のバウンドを抑制する。
【００４３】
次に、サブミラー１３の角度調整について、図７〜図９を用いて説明する。図７及び図８の図中の矢印は、角度調整によるサブミラー保持部材１４及び角度調整プレート１７の回転方向を示している。また、図７及び図８中での実線は、角度調整前のサブミラー保持部材１４とバウンド防止機構１０の位置を示しており、破線は、角度調整後のサブミラー保持部材１４とバウンド防止機構１０の位置を示している。
【００４４】
図７では、角度調整プレート１７を反時計回り方向に回動させることでサブミラー１３の角度調整を行っている。図８では、角度調整プレート１７を時計回り方向に回動させることでサブミラー１３の角度調整を行っている。このように、サブミラー１３の角度調整は図７と図８に示す破線の範囲内で行う。
【００４５】
前述したように、角度調整プレート１７を穴１７ｃ回りで回動させると、角度調整ピン１６とフックピン１８は、サブミラー保持部材１４の回動中心軸回りで互いに同一の角度回動する。このとき、角度調整プレート１７とフックプレート１９との間に掛けられた引張コイルばね２０は、フックプレート１９の第２の曲げ部１９ｂを角度調整プレート１７に押し付けたまま回動する。
【００４６】
これにより、図９に示すサブミラー保持部材１４に形成されたフック形状部１４ｂとフックピン１８との隙間寸法２９は、サブミラー１３の角度調整の過程ではほとんど変化しない。このため、本実施例によれば、隙間寸法２９を小さくすることができる。つまり、サブミラー１３（サブミラー保持部材１４）がバウンドする範囲を小さくすることができる。したがって、サブミラー１３のバウンド量を小さくすることができるとともに、短時間でバウンドを抑制し、停止位置に位置決めすることができる。
【００４７】
次に、図１１〜図１８を用いて、本実施例のカメラにおける様々な他の特徴について説明する。なお、各図において、その図を用いた特徴の説明には出てこない構成要素に対しても、他の特徴の説明で出てくる場合には符号を付している。
【００４８】
まず、図１３には、カメラの背面から見たときのミラーバウンド防止機構、ミラー駆動機構及びシャッターチャージ機構の配置を示している。
【００４９】
図１３において、ミラーボックス４０の右側にはバウンド抑制機構１０及びシャッターチャージ機構６０が配置されている。一方、ミラーボックス４０の左側には、ミラー駆動機構５０が配置されている。４１はファインダ光学系４の一部を構成するペンタプリズムである。
【００５０】
６３はシャッターチャージレバーであり、回動することで不図示のシャッターのチャージ駆動を行う。シャッターチャージレバー６３を含むシャッターチャージ機構６０とミラーボックス４０との間にミラーバウンド抑制機構１０を配置することで、カメラを大型化することなくミラーバウンド抑制機構１０を配置することができる。また、同様に、ミラー駆動機構５０とミラーボックス４０との間にミラーバウンド抑制機構１０を配置しても同様の効果が得られる。
【００５１】
図１１、図１２及び図１５には、本実施例のカメラにおけるミラー駆動機構及びシャッターチャージ機構をそれぞれ駆動するモータの配置を示している。図１１は、カメラの正面図である。図１２はカメラの上面図である。図１５はカメラのミラー駆動機構用モータ５１とシャッターチャージ機構用モータ６１の起動と停止のタイミングを示すタイムチャートである。
【００５２】
モータ５１とモータ６１は、カメラの重心４２を含んだミラーボックス４０を挟んで左右に分かれて配置されている。また、両モータ５１，６１は、それぞれの回転軸方向が互いに平行になるように配置されている。
【００５３】
モータ５１とモータ６１は、図１５に示すように、起動と停止のタイミングがほぼ一致している。
【００５４】
それぞれのモータが起動および停止する際には、カメラ本体にモータの回転方向とは逆方向の反力が発生する。しかし、本実施例では、両モータ５１、６１をカメラの重心４２を挟んで両側に配置し、かつ両モータ５１、６１の回転方向を逆としている。これにより、両モータ５１、６１の起動及び停止によりカメラ本体に作用する反力が相殺され、両モータ５１、６１の起動時及び停止時のカメラ本体の振動を抑えることができる。
【００５５】
図１４には、本実施例のカメラにおけるシャッターチャージ機構と内蔵フラッシュのポップアップ機構を示す。図１４は、カメラの側面図である。
【００５６】
シャッターチャージ機構用モータ６１は、ピニオンギヤ６２がカメラ上部に位置するように配置されている。通常の撮像動作時には、該モータ６１は時計回り方向に回転する。
【００５７】
フラッシュのポップアップ時には、モータ６１は反時計回り方向に回転する。これにより、遊星ギヤ６３がシャッターチャージ機構６０内のギヤ６４から離れてポップアップギヤ７１に係合し、モータ６１の回転を伝達する。
【００５８】
ポップアップギヤ７１は、モータ６１からの回転力によってポップアップ係止レバー７２をその回転中心軸７２ｃ回りで反時計回り方向に回転させる。これにより、フラッシュポップアップユニット７０の係止機構を構成する係止爪７２ａ、７２ｂがフラッシュポップアップユニット７０の係合部７３ａ、７３ｂからそれぞれ離れる。このため、フラッシュポップアップユニット７０は、ポップアップスプリング７４の付勢力により、回転中心軸７０ａ回りで反時計回り方向に回動し、ポップアップする。
【００５９】
このように、シャッターチャージ機構用モータ６１のピニオンギヤ６２をカメラ上部に配置することで、ピニオンギヤ６２からポップアップギヤ７１までの距離を短くすることができる。したがって、少ない数のギヤによってモータ６１の出力でフラッシュポップアップユニット７０の係止機構による係止を解除することができ、カメラの大型化を抑えることができる。
【００６０】
次に、図１６〜１９を用いて、本実施例のカメラのサブミラー１３と主ミラー１１のそれぞれのミラーバウンド抑制機構の配置について説明する。
【００６１】
図１６は、主ミラー１１用のミラーバウンド抑制機構（以下、主ミラーバウンド抑制機構という）８０の背面図である。図１６において、サブミラー１３用のミラーバウンド抑制機構（以下、サブミラーバウンド抑制機構という）１０が、クイックリターンミラーユニット３の右側に配置されている。これに対し、主ミラーバウンド抑制機構８０は、クイックリターンミラーユニット３の左側に配置されている。
【００６２】
図１７は、主ミラーバウンド抑制機構８０の側面図であり、主ミラー１１が第１の位置で停止している状態を示している。
【００６３】
図１８は、主ミラーバウンド抑制機構８０の斜視図であり、主ミラー１１が第２の位置から第１の位置に移動する途中の状態を示している。具体的には、バウンド防止レバーピン８１ａ（第２のバウンド抑制部材）と主ミラー保持部材１２に設けられたフック部１２ｃとが当接する直前の状態を示している。
【００６４】
図１８の状態からさらに主ミラー保持部材１２が軸部１２ａを中心に反時計回り方向に回転すると、フック部１２ｃがバウンド防止レバーピン８１ａに当接してこれを反時計回り方向に押す。これにより、バウンド防止レバー８１がその回動中心８１ｂ回りで反時計回り方向に回動し、バウンド防止レバーピン８１ａがフック部１２ｃに対して退避する。
【００６５】
そして、主ミラー保持部材１２が第１の位置に到達すると、バウンド防止レバースプリング８２の付勢力によってバウンド防止レバー８１が時計回り方向に戻され、図１９に示すように、バウンド防止レバーピン８１ａがフック部１２ｂに係合する。これにより、主ミラー１１（主ミラー保持部材１２）のストッパ２２（図１等参照）への当接によるバウンドが抑制される。
【００６６】
この際、サブミラーバウンド抑制機構１０によるサブミラー１３のバウンド抑制も同時に行われる。これにより、クイックリターンミラーユニット３全体でのバウンドが効果的に抑制される。また、クイックリターンミラーユニット３の左右に分かれてサブミラーバウンド抑制機構１０及び主ミラーバウンド抑制機構８０を配置することで、カメラの大型化を防止することができる。
【００６７】
以上、図１１〜１８を用いて説明した特徴をまとめると以下のようになる。
【００６８】
（１）ミラーボックスを挟んだ両側にミラー駆動機構とシャッターチャージ機構が配置され、サブミラーバウンド抑制機構が、ミラー駆動機構とミラーボックスの間又はシャッターチャージ機構とミラーボックスとの間に配置されている。
【００６９】
（２）ミラーボックスを挟んだ両側にミラー駆動機構とシャッターチャージ機構が配置され、両機構のモータの回転軸が平行であり、撮像作動時における両モータの回転方向が逆である。
【００７０】
（３）シャッターチャージ機構のモータを撮像動作次とは逆に回転させることで内蔵フラッシュユニットをポップアップさせる。
【００７１】
（４）主ミラーバウンド抑制機構とサブミラーバウンド抑制機構が、ミラーボックスを挟んだ両側に配置されている。
【図面の簡単な説明】
【００７２】
【図１】本発明の実施例である一眼レフカメラの概略構成を示す側面図。
【図２】実施例のミラーバウンド抑制機構及びクイックリターンミラーユニットの分解斜視図。
【図３】実施例のミラーバウンド抑制機構及びクイックリターンミラーユニットの側面図。
【図４】実施例のミラーバウンド抑制機構及びクイックリターンミラーユニットの側面図。
【図５】実施例のミラーバウンド抑制機構及びクイックリターンミラーユニットの側面図。
【図６】実施例のミラーバウンド抑制機構及びクイックリターンミラーユニットの側面図。
【図７】実施例におけるサブミラーの角度調整時でのミラーバウンド抑制機構及びクイックリターンミラーユニットの変位を示す側面図。
【図８】実施例におけるサブミラーの角度調整時でのミラーバウンド抑制機構及びクイックリターンミラーユニットの変位を示す側面図。
【図９】実施例におけるフック形状部とフックピン間の隙間寸法を示す側面図。
【図１０】実施例のカメラの正面外観図。
【図１１】実施例のカメラの内部構造を示す正面図。
【図１２】実施例のカメラの内部構造を示す上面図。
【図１３】実施例のカメラの内部構造を示す背面図。
【図１４】実施例のカメラの内部構造を示す側面図。
【図１５】実施例のカメラの動作タイムチャート。
【図１６】実施例の主ミラーバウンド抑制機構の背面図。
【図１７】実施例の主ミラーバウンド抑制機構の側面図。
【図１８】実施例の主ミラーバウンド抑制機構の斜視図。
【図１９】実施例の主ミラーバウンド抑制機構の斜視図。
【符号の説明】
【００７３】
１  カメラ
２  撮像レンズ
３  クイックリターンミラーユニット
４  ファインダ光学系
５  撮像素子ユニット
６  焦点検出ユニット
１０  （サブ）ミラーバウンド抑制機構
１１  主ミラー
１２  主ミラー保持部材
１２ａ 軸部
１２ｂ  軸部
１２ｃ  フック部
１３  サブミラー
１４  サブミラー保持部材
１５  サブミラー開きばね
１６  角度調整ピン
１７  角度調整プレート
１８  フックピン
１９  フックプレート
２０  引張コイルばね
２９  隙間寸法
３０  マウント
４０  ミラーボックス
４１  ペンタプリズム
４２  カメラの重心
５０  ミラー駆動機構
５１  ミラー駆動機構用モータ
６０  シャッターチャージ機構
６１  シャッターチャージ機構用モータ
６２  ピニオンギヤ
６３  シャッターチャージレバー
７０  フラッシュポップアップユニット
７１  ポップアップギヤ
７２  ポップアップ係止レバー
７４  ポップアップスプリング
８０  主ミラーバウンド抑制機構
８１  バウンド防止レバー
８１ａ  バウンド防止レバーピン
８２  バウンド防止レバースプリング
【図１】
0005578758.tif 000002
【図７】
0005578758.tif 000003
【図８】
0005578758.tif 000004
【図９】
0005578758.tif 000005
【図１７】
0005578758.tif 000006
【図２】
0005578758.tif 000007
【図３】
0005578758.tif 000008
【図４】
0005578758.tif 000009
【図５】
0005578758.tif 000010
【図６】
0005578758.tif 000011
【図１０】
0005578758.tif 000012
【図１１】
0005578758.tif 000013
【図１２】
0005578758.tif 000014
【図１３】
0005578758.tif 000015
【図１４】
0005578758.tif 000016
【図１５】
0005578758.tif 000017
【図１６】
0005578758.tif 000018
【図１８】
0005578758.tif 000019
【図１９】
0005578758.tif 000020